(57)【特許請求の範囲】
【請求項１】
複数のＬＥＤと、前記ＬＥＤを前面側に有するケースと、頭部、非ネジ切り部及び前記ケースを外部に固定するためのネジ切り部を前面側から順に有するネジと、を備えるＬＥＤ発光装置において、
前記ケースは、前記ネジを前面側から挿入し背面側に貫通させるための挿入部を有し、
前記挿入部は、その内側に、前記ネジ切り部の外径よりも小さな第１内径と、前記第１内径よりも前面側に前記第１内径及び前記非ネジ切り部の外形よりも大きい第２内径を有する弾性部材を有し、
前記弾性部材は、前記挿入部に固定され、前記弾性部材の一部は、前記挿入部の表面側から突出し、
前記頭部が前記挿入部から突出した弾性部材を直接又は間接的に圧縮することで、前記ネジと前記弾性部材とが密着し得ることを特徴とするＬＥＤ発光装置。
【請求項２】
複数のＬＥＤと、前記ＬＥＤを前面側に有するケースと、前記ケースを外部に固定するためのネジ切り部を有するネジと、を備えるＬＥＤ発光装置において、
前記ケースは、前記ネジを前面側から挿入し背面側に貫通させるための挿入部を有し、
前記挿入部は、その内側に、前記ネジ切り部の外径よりも小さな第１内径を有する弾性部材を有し、
前記挿入部は、前記ケースと異なる部材からなると共に、前記ケースと一体成型されており、
前記弾性部材は、前記挿入部に固定されていることを特徴とするＬＥＤ発光装置。
【請求項３】
複数のＬＥＤと、前記ＬＥＤを前面側に有するケースと、前記ケースを外部に固定するためのネジ切り部を有するネジと、を備えるＬＥＤ発光装置において、
前記ケースは、前記ネジを前面側から挿入し背面側に貫通させるための挿入部を有し、
前記挿入部は、その内側に、前記ネジ切り部の外径よりも小さな第１内径を有する弾性部材を有し、
前記弾性部材は、前記挿入部と異なる部材からなると共に、前記挿入部と一体成型されおり、
前記弾性部材は、前記挿入部に固定されていることを特徴とするＬＥＤ発光装置。
【請求項４】
複数のＬＥＤと、前記ＬＥＤを前面側に有するケースと、頭部、非ネジ切り部及び前記ケースを外部に固定するためのネジ切り部を前面側から順に有するネジと、を備えるＬＥＤ発光装置において、
前記ケースは、前記ネジを前面側から挿入し背面側に貫通させるための挿入部を有し、
前記挿入部は、その内側に、前記ネジ切り部の外径よりも小さな第１内径と、前記第１内径よりも前面側に前記第１内径及び前記非ネジ切り部の外形よりも大きい第２内径を有する弾性部材を有し、
前記弾性部材は、前記挿入部に固定され、
前記ネジは、前記非ネジ切り部に挿入されたワッシャを有し、
前記挿入部の表面側から突出した弾性部材は、内側から外側に向かって背面側に傾斜した傾斜部に有し、
前記ワッシャは、その内周が前記傾斜部に当接され得ることを特徴とするＬＥＤ発光装置。
【請求項５】
複数のＬＥＤと、樹脂からなり前記ＬＥＤを前面側に有するケースと、前記ケースを外部に固定するためのネジ切り部を有するネジと、を備えるＬＥＤ発光装置において、
前記ケースは、金属からなり前記ネジを前面側から挿入し背面側に貫通させるための挿入部を有し、
前記挿入部は、その内側に、前記ネジ切り部の外径よりも小さな第１内径を有する弾性部材を有し、
前記弾性部材は、前記挿入部に固定されていることを特徴とするＬＥＤ発光装置。
【請求項６】
前記弾性部材は、前記第１内径よりも前面側に前記第１内径よりも大きい第２内径を有することを特徴とする請求項２、３、５のいずれかに記載のＬＥＤ発光装置。
【請求項７】
前記ネジは、頭部、非ネジ切り部及び前記ネジ切り部を前面側から順に有し、
前記弾性部材の第２内径は、前記非ネジ切り部の外径よりも大きいことを特徴とする請求項２、３、５、６のいずれかに記載のＬＥＤ発光装置。
【請求項８】
前記弾性部材の一部は、前記挿入部の表面側から突出し、
前記頭部が前記挿入部から突出した弾性部材を直接又は間接的に圧縮することで、前記ネジと前記弾性部材とが密着し得ることを特徴とする請求項２、３、６、７のいずれかに記載のＬＥＤ発光装置。
【請求項９】
前記挿入部は、前記ケースと異なる部材からなると共に、前記ケースと一体成型されていることを特徴とする請求項１、及び３から８のいずれかに記載のＬＥＤ発光装置。
【請求項１０】
前記弾性部材は、前記挿入部と異なる部材からなると共に、前記挿入部と一体成型されていることを特徴とする請求項１、２及び４から９のいずれかに記載のＬＥＤ発光装置。
【請求項１１】
前記ネジは、前記非ネジ切り部に挿入されたワッシャを有し、
前記挿入部の表面側から突出した弾性部材は、内側から外側に向かって背面側に傾斜した傾斜部に有し、
前記ワッシャは、その内周が前記傾斜部に当接され得ることを特徴とする請求項１から３及び５から１０のいずれかに記載のＬＥＤ発光装置。
【請求項１２】
前記ケースは樹脂からなり、前記挿入部は金属からなることを特徴とする請求項１から４及び６から１１のいずれかに記載のＬＥＤ発光装置。
【発明の詳細な説明】
【技術分野】
【０００１】
本発明は光源としてＬＥＤを用いたＬＥＤ発光装置に関する。
【背景技術】
【０００２】
背面側からの作業スペースがない等の理由で、観測面となる前面側からネジを用いて外部に固定可能なＬＥＤ発光装置が知られている（例えば特許文献１〜３）。
【先行技術文献】
【特許文献】
【０００３】
【特許文献１】特開平０６−１６１３６０号公報
【特許文献２】特開平０６−１８８４６０号公報
【特許文献３】実開平０５−４７９８５号公報
【発明の概要】
【発明が解決しようとする課題】
【０００４】
しかし、前面側からネジを用いてＬＥＤ発光装置を固定する際には種々の問題が生じる。ＬＥＤ発光装置はビルの側壁等の高所に設置されることがあるが、取り付け時又はメンテナンス時に固定用のネジが落下してしまい、通行人に怪我をさせる恐れがある。また、雨天時にはネジを挿入するための貫通孔を介して本来防水すべき背面側に雨水が浸入する可能性もある。通常、背面側にはＬＥＤ発光装置を制御する制御機器や電源等が収納されており、そこに雨水が浸入してしまうと、漏電等によりＬＥＤ発光装置が誤作動する可能性もある。
【課題を解決するための手段】
【０００５】
一実施形態に係るＬＥＤ発光装置は、複数のＬＥＤと、ＬＥＤを前面側に有するケースと、ケースを外部に固定するためのネジ切り部を有するネジと、を備える。ケースはネジを前面側から挿入し背面側に貫通させるための挿入部を有し、挿入部はその内側にネジ切り部の外径よりも小さな第１内径を有する弾性部材を有し、弾性部材は挿入部に固定されている。
【図面の簡単な説明】
【０００６】
【図１】一実施形態に係るＬＥＤ発光装置の分解図である。
【図２】一実施形態に係るＬＥＤ発光装置の正面図である。
【図３】一実施形態に係るＬＥＤ発光装置の側面図である。
【図４】一実施形態に係るＬＥＤ発光装置におけるネジ近傍の構造を説明するための断面図である。
【図５】一実施形態に係るＬＥＤ発光装置に用いるネジ及び弾性部材を説明するための模式図である。
【発明を実施するための形態】
【０００７】
以下、図面を参照しながら、本発明に係るＬＥＤ発光装置を実施するための形態について説明する。ただし、以下に示す形態は、本発明の技術思想を具体化するための例示であって、本発明を以下に限定するものではない。また、各図面が示す部材の位置や大きさ等は、説明を明確にするため誇張していることがある。
【０００８】
本発明の一実施形態に係るＬＥＤ発光装置１００の分解図を図１に示す。図２はＬＥＤ発光装置１００を正面（前面）側から見た図であり、図３は図２のＬＥＤ発光装置１００を紙面の右側から見た側面図である。図４は、ネジ５の近傍構造を説明するための図２の一点鎖線Ａ−Ａにおける部分断面図である。また、図５は、ネジ５と弾性部材７との関係を説明するための模式図である。
【０００９】
ＬＥＤ発光装置１００は、複数のＬＥＤ１（発光ダイオード）と、ＬＥＤ１を前面側に有するケース３と、ケース３を外部に固定するためのネジ切り部を有するネジ５と、を備える（図１乃至図４参照）。ケース３はネジ５を前面（正面）側から挿入し背面側に貫通させるための挿入部４を有し（図１及び図４参照）、挿入部４はその内側にネジ切り部の外径ＯＤ１よりも小さな第１内径ＩＤ１を有する弾性部材７を有する（図４及び図５参照）。さらに、弾性部材７は挿入部４に固定されている（図４参照）。
【００１０】
これにより、ＬＥＤ発光装置１００をビルの側壁等に取り付ける際やそのメンテナンス時に、意図せずにネジ５が挿入部４から外れるのを防ぐことができるので、作業場下の通行人に怪我させる恐れもない。つまり、弾性部材７を挿入部４に固定し且つ弾性部材７にネジ切り部ＯＤ１の外径よりも小さな内径ＩＤ１を設けることで、作業者がネジ５を外す際にネジ切り部が内径ＩＤ１の部分で一旦引っかかるようにすることができる。これにより、作業者は、取り付け時等にネジ５を挿入部４から完全に引き抜かずに作業を続けることができるので、作業効率を向上させることができる。また、ネジ５を挿入部４から完全に外す場合であっても、作業者が不注意によりネジ５を落下させる可能性を低下させることができる。以下、ＬＥＤ発光装置１００を構成する主な部材について説明する。
【００１１】
（ＬＥＤ１）
ＬＥＤ発光装置１００は、光源として複数のＬＥＤ１を備える。本実施形態では、ＬＥＤ１として表面実装タイプのものを用いたが、基板貫通タイプのものを用いることもできる。
【００１２】
（基板２）
基板２は、ＬＥＤ１を実装するための所謂回路基板である。基板１の母材には、ガラスエポキシ等を採用することができるが、放熱性を考慮してアルミニウム等の熱伝導率の高い材料を含めることもできる。本実施形態では、基板２の背面側にＬＥＤ１を駆動するための種々の電子部品（図示せず）が配置されている。
【００１３】
基板２の表面側には防水部材（図示せず）を設けることができる。例えば、ＬＥＤ１が載置された基板２上の表面側に、ＬＥＤ１の隙間を埋めるように流動性のあるシリコーン樹脂を流し入れて硬化させることで防水部材とすることができる。コントラストを上げるため、防水部材は黒色などの暗色であることが好ましい。
【００１４】
（ケース３及び挿入部４）
ケース３は、表面側でＬＥＤ１が配置された基板１を支持するためのものである。ケース３は、ネジ５を前面側から挿入し外部と接続し固定するために、前面側と背面側とが貫通した挿入部４を有する。挿入部４は、最終的にはＬＥＤ発光装置１００を外部に固定するためにネジ５で締めつけられるので、ケース３と異なる部材から構成することが好ましい。具体的には、ケース３をポリカーボネート等の樹脂で形成し、挿入部４を黄銅等の金属で形成することができる。
【００１５】
ケース３と挿入部４とを異なる材料で形成する場合、ケース３と挿入部４とは一体成型（インサート成型）されていることが好ましい。これにより、ケース３と挿入部４との間をより確実に防水することができる。つまり、一体成型によりケース３と挿入部４とを密着して構成することができるので、防水機能をより向上させることができる。
【００１６】
（ネジ５）
ネジ５は、表面側から挿入部４に挿入し、ケース３をビル側壁等に固定するためのものである。典型的には、ビル側壁等に固定用板を設け、固定用板にネジ５を締めつけることにより、ＬＥＤ発光装置１００を外部に固定することができる。図５に示すように、ネジ５は、表面側から、頭部、非ネジ切り部及びネジ切り部を有することができる。ネジ５の非ネジ切り部の外径ＯＤ２は、ネジ切り部の外径ＯＤ１よりも小さいことが好ましい。
【００１７】
図５に示すように、ネジ５は、非ネジ切り部に挿入されたワッシャ６を備えることができる。ワッシャ６を設けることにより、ネジ５を締めつける際に、弾性部材７がネジ５の頭部との摩擦により変形することを抑制することができる。
【００１８】
（弾性部材７）
弾性部材７は、例えば、シリコーン等からなるゴムからなり、少なくともその一部が挿入部４の孔の内側に固定されている。弾性部材７を挿入部４に固定する手段としては、例えば、接着剤による固定、一体成型による固定がある。また、挿入部４はネジ５を締めつけるためのものである一方、弾性部材７はネジ５の脱落を防止するためのものであるため、挿入部４と弾性部材７とは異なる材料で構成することが好ましい。
【００１９】
図５に示すように、弾性部材７は、第１内径ＩＤ１よりも大きい第２内径ＩＤ２を前面側に有することができる。これにより、前面側からネジ５を挿入しやすくなるので作業効率を向上させることができる。つまり、弾性部材７はネジ５を挿入できるように実質的に円筒形状であり、前面側に第２内径ＩＤ２を備え背面側に第１内径ＩＤ１を備えるように構成することができる。特に、ネジ５の挿入方向において、第１内径ＩＤ１が占める領域を第２内径ＩＤ２が占める領域よりも小さくすることが好ましい。これにより、弾性部材７の内側にネジ５を通す際に、ネジ切り部と弾性部材７の第１内径ＩＤ１との摩擦によりネジ５が動きにくくなることを抑制できるので、作業効率を向上させることができる。
【００２０】
図５に示すように、弾性部材７の第２内径ＩＤ２は非ネジ切り部の外径ＯＤ２よりも大きくすることができる。これにより、弾性部材７の内側にネジ５を通す際に、非ネジ切り部と弾性部材７の第２内径ＩＤ２との摩擦によりネジ５が動きにくくなることを抑制できるので、作業効率を向上させることができる。
【００２１】
弾性部材７の一部は、挿入部４の表面側から突出するように構成することができる。この突出部分をネジ５の頭部で直接又は間接的に圧縮することで、ネジ５と弾性部材７とを密着させることができる。これにより、ネジ５と弾性部材７との間を防水することができる。
【００２２】
弾性部材７の第１内径ＩＤ１は、ネジ５の動きを阻害しない程度に、非ネジ切り部における第２外径ＯＤ２よりも小さくすることができる。これにより弾性部材７の背面側でも防水機能を持たせることができる。
【００２３】
挿入部４と弾性部材７とは一体成型されていることが好ましい。これにより、挿入部４と弾性部材７との間をより確実に防水することができる。
【００２４】
ネジ５を締めつけていない状態で挿入部４の表面側から突出した弾性部材７は、内側から外側に向かって背面側に傾斜した傾斜部を有し、ワッシャ６はその内周が傾斜部に当接されるように構成することができる。これにより、ワッシャ６と弾性部材７との位置関係を安定させることができるので、より確実な防水機能が期待できる。
【００２５】
（遮光部材８）
基板２の表面側には遮光部材８を設けることができる。遮光部８は太陽光等の外来光がＬＥＤ１及びその近傍に照射することを抑制するものであり、これによりコントラストを向上させることができる。ＬＥＤ発光装置１００では、ケース３の背面側からネジ（図示せず）を用いて遮光部材８を固定している。これにより、当該ネジが表面側に露出しないようにすることができるので、見た目に優れたＬＥＤ発光装置とすることができる。
【００２６】
（パッキン９）
ケース３の背面側にはパッキン９を設けることができる。ケース背面の外周部分にパッキン９を設けることで、ケース３と外部との間での防水を行うことができる。
【符号の説明】
【００２７】
１００…ＬＥＤ発光装置
１…ＬＥＤ
２…基板
３…ケース
４…挿入部
５…ネジ
６…ワッシャ
７…弾性部材
８…遮光部
９…パッキン
【図１】
0005803430.tif 000002
【図２】
0005803430.tif 000003
【図３】
0005803430.tif 000004
【図４】
0005803430.tif 000005
【図５】
0005803430.tif 000006